(57)【要約】【課題】Ｔシャツやトレーナ等、丸首の衣類、特に子供服に首穴からハンガーを通し、衣類の首の部分を伸ばさずに容易にハンガーを通すことができ、袖下も乾きやすいハンガーを提供する。【解決手段】  フック３を設けた頂部から八字形に左右に広がる第１アーム１及び第２アーム２と、その両端部から逆方向の中央に向けて互いに水平に伸びるロッド状の第１袖掛け部４及び第２袖掛け部５とからなり、前記フック３を第１アーム１と第２アーム２が形成する鉛直な面に対しやや傾けて頂部に取り付けた衣服掛けハンガーである。また前記袖掛け部４、５を横長なリング４ａ、５ａとしたものである。【選択図】  図３
2006175101.tif 000002
【特許請求の範囲】
【請求項１】
フック（３）を設けた頂部から八字形に左右に広がる第１アーム（１）及び第２アーム（２）と、その両端部から逆方向の中央に向けて互いに水平に伸びるロッド状の第１袖掛け部（４）及び第２袖掛け部（５）とからなる衣服掛けハンガー。
【請求項２】
前記フック（３）を第１アーム（１）と第２アーム（２）が形成する鉛直な面に対しやや傾けて頂部に取り付けた請求項１記載の衣服掛けハンガー。
【請求項３】
前記袖掛け部（４、５）を横長なリング（４ａ、５ａ）とした請求項１記載の衣服掛けハンガー。
【請求項４】
フック（３）に平面で見てＳ字形状の袖掛け部を直に取り付けた衣服掛けハンガー。
【請求項５】
前記Ｓ字形状の袖掛け部が、フック（３）を取り付ける中央の偏平な支持片（８）と、該支持片（８）の一端を後方へ曲げて中央支持片（８）と平行となるようにした袖掛け部（９）と、中央の支持片（８）の他端を前方へ曲げて中央支持片（８）と平行になるようにした袖掛け部（１０）とからなる請求項４記載の衣服掛けハンガー。
【請求項６】
正面から見て数字の２のようなハンガーであって、２の字の上部がフック部分となり、フック（３）に連続する円曲部がアーム（１１）となり、円曲部の端部を逆方向に曲げて伸ばした２の字の下辺を袖通し部（１２）とした衣服掛けハンガー。
【請求項７】
前記袖通し部（１２）が、アーム（１１）から二股に分かれた２本の平行な袖掛け（１２ａ、１２ｂ）としたものであって、該袖掛け（１２ａ，１２ｂ）をなだらかで肉厚な山形カーブとした請求項６記載の衣服掛けハンガー。
【請求項８】
フック（３）の基端から４方に伸ばした紐（１３）をロッド（１４、１５）の両端に各繋ぎ、一方のロッド（１４）に前記請求項１、３記載のアーム部分（１）を連続的に等間隔で各連結させ、他方のロッド（１５）に他方のアーム部分（２）を同様に等間隔で各連結させた衣服掛けハンガー。
【発明の詳細な説明】
【技術分野】
【０００１】
本発明は、衣服などを干すハンガーに関し、特に丸首シャツの首の部分を伸ばさずに袖通しの出来るハンガーに関する。
【背景技術】
【０００２】
従来、ハンガーは本体にフックが固定されているため衣類の首側からハンガーを通そうとする時、フック部分からハンガーの左右いずれか一方の端部の幅まで衣類の首の部分を広げなければならない。かかる不具合を解消する手段が特許文献１〜３に開示されている。また従来のハンガーは、大人服の肩幅に対して横幅が狭い為、肩から袖にかけて下に落ちシャツ本体とがくっついて風通しが悪く袖下の乾きが悪いという問題がある。
【特許文献１】実開平６―５２６６１号
【特許文献２】特開２０００−１４５１９号
【特許文献３】実開昭６０―８６８１号
【発明の開示】
【発明が解決しようとする課題】
【０００３】
丸首シャツをハンガーに掛ける時、首側からハンガーを通そうとすると、フックの部分からハンガーの端部の幅まで首の部分を広げなければならず、そのため衣類の首の部分が伸びてしまい生地を傷める原因となっていた。そして小さな子供服は首穴が小さい為、大人のハンガーに掛けづらかった。また従来のハンガーは、大人服の肩幅に対して横幅が狭いため肩から袖の部分が、下に落ちてシャツ本体にくっつき袖の下の風通しが、悪く乾きにくかった。本発明は、以上のような不都合を解決することを目的とする。
【課題を解決するための手段】
【０００４】
この課題を解決する為に本発明実施例１の衣服掛けハンガーは、請求項１、請求項２記載のように、フック３を設けた頂部から八字形に左右に広がる第１アーム１及び第２アーム２と、その両端部から逆方向の中央に向けて互いに水平に伸びるロッド状の第１袖掛け部４及び第２袖掛け部５とからなり、前記フック３を第１アーム１と第２アーム２が形成する鉛直な面に対しやや傾けて頂部に取り付けたことを特徴としている。
【０００５】
また実施例２の衣服掛けハンガーは、請求項３記載のように前記袖掛け部４、５を横長なリング４ａ、５ａとしたことを特徴としている。
【０００６】
また実施例３の衣服掛けハンガーは、請求項４及び請求項５に記載のように、フック３に平面で見てＳ字形状の袖掛け部を直に取り付けたものであって、前記Ｓ字形状の袖掛け部が、フック３を取り付ける中央の偏平な支持片８と、該支持片８の一端を後方へ曲げて中央支持片８と平行となるようにした袖掛け部９と、中央の支持片８の他端を前方へ曲げて中央支持片８と平行になるようにした袖掛け部１０とからなることを特徴としている。
【０００７】
また実施例４の衣服掛けハンガーは、請求項６記載のように、正面から見て数字の２のようなハンガーであって、２の字の上部がフック部分となり、フック３に連続する円曲部がアーム１１となり、円曲部の端部を逆方向に曲げて伸ばした２の字の下辺を袖通し部１２としたものであって、さらに請求項７記載のように、前記袖通し部１２が、アーム１１から二股に分かれた２本の平行な袖掛け１２ａ、１２ｂとしたものであって、該袖掛けをなだらかで肉厚な山形カーブとしたことを特徴としている。
【０００８】
また実施例５の衣服掛けハンガーは、請求項８記載のように、フック３の基端から４方に伸ばした紐１３をロッド１４、１５の両端に各繋ぎ、一方のロッド１４に前記請求項１、３記載のアーム部分１を連続的に等間隔で各連結させ、他方のロッド１５に他方のアーム部分２を同様に等間隔で各連結させた連設型ハンガーである。
【発明の効果】
【０００９】
本発明のハンガーは、丸首等の衣類に首側から簡単にハンガーを掛ける事ができしかも首の部分を伸ばすことなく、衣類の生地を傷めることもない。これまで大人用のハンガーに掛けることができなかった小さな子供服まで掛けられるようになる。また横幅が、従来どおりのハンガーサイズでも掛け方しだいで袖部分がピンと張るので袖の下の乾きもよくなるという効果がある。
【発明を実施するための最良の形態】
【００１０】
本発明実施の最良の形態は、フックを設けた頂部から八字形に左右に広がる第１アーム及び第２アームと、その両端から逆方向に中央に向けて互いに水平に伸びるロッド状の第１袖掛け部と第２袖掛け部とから構成し、そしてフックを第１アームと第２アームが形成する鉛直な面に対しやや傾けて頂部に取り付けて第１袖掛け部と第２袖掛け部とを離間して平行に対設させるようにした衣服掛けハンガーである。
【実施例１】
【００１１】
本発明の実施形態を図面に基づいて説明する。実施例１のハンガーは、図１に示すようにフック３を設けた頂部から八字形に左右に広がる第１アーム１及び第２アーム２と、その両端部から逆方向に中央に向けて互いに水平に伸びるロッド状の第１袖掛け部４と第２袖掛け部５とからなる。そしてフック３を第１アーム１と第２アーム２が形成する鉛直な面に対し図２に示すようにやや傾けて頂部に取り付けたので第１袖掛け部４と第２袖掛け部５とは離間して平行に対設している。
【００１２】
この実施例１のハンガーに丸首シャツを掛ける場合は、図３のＡ図のように第１袖掛け部４にシャツの一方の片袖６を通し、次いでＢ図のように他方の片袖７を第２袖掛け部７に通して掛ける。つまり丸首シャツを片袖づつ通すことが出来るため首穴をフックに通す必要がなく掛けやすい。そして首穴を従来のように伸ばしてくぐらす必要が無いのでシャツも痛まない。
【００１３】
また図４のようにロッド状の袖掛け部４、５に片袖づつ肩部分が真直ぐと掛かり袖下がぴんと張っているので風通しが良く乾きが早い。また袖掛け部４、５は中央で平行にクロスしているので図５のように肩部分を首穴側へ寄せても真直ぐ伸ばして掛けることが出来る。そして大人の丸首シャツの首幅は、だいたい１５ｃｍ〜２１ｃｍ程であるので、少なくとも１５ｃｍは首部を寄せたり重ねたりする事が可能である。寄せたり、重ねたりする場合でも両袖が、同じロッドに掛かっている訳ではないので首部の部分は隙間があり風通しもあり良く乾く。
【実施例２】
【００１４】
本発明の第２の実施形態を図６に基づいて説明する。このものは袖部分をぴんと張らせて更に乾きを良くするために第１実施例のロッド状の袖掛け部４、５を横長なリング４ａ、５ａとしたものである。丸首シャツの掛け方は図７のように横長なリング４ａにシャツの一方の片袖６を通し、次いで他方の片袖７を逆側からリング５ａに通して掛ける。従って首穴をフックに通す必要がなく掛けやすくシャツが痛まない。また横長なリング４ａ、５ａに両袖を持ち上げて掛ける事により袖下の風通しが良くなる。そして図８のようにシャツの首部の幅（大人の場合１５ｃｍ〜２１ｃｍ程）を利用すれば、首部を寄せる事から重ねる事まで出来る。これは横長なリング４ａ、５ａの上部が水平である為、掛けた袖が下に落ちずシャツの首部を寄せる事が可能であり、極端に両袖を横長なリング４ａ、５ａに持ち上げて掛けずとも少しでも掛ければ袖下に隙間ができる為、風通しが良く乾きが良くなる。
【実施例３】
【００１５】
本発明の第３の実施形態を図９及び図１０に基づいて説明する。このものは実施例１に対し第１アーム１、第２アーム２が無くフック３に直に偏平なロッド状の袖掛け部４、５を取り付けたものである。この袖掛け部は平面で見て横長なＳ字形状になっており、詳述すればＳ字形状の袖掛け部が、フック３を取り付ける中央の偏平な支持片８と、該支持片８の一端を後方へ曲げて中央支持片８と平行となるようにした袖掛け部９と、また同様に中央の支持片８の他端を前方へ曲げて中央支持片８と平行になるようにした袖掛け部１０とからなる。そしてこのハンガーに丸首シャツを掛ける場合は、図１０のように前方の袖掛け部１０にシャツの一方の片袖５を通し、次いで他方の片袖６を後方の袖掛け部９に通して掛け、最後にフック３を通す。
【実施例４】
【００１６】
本発明の実施例４の実施形態を図１１〜図１４に基づいて説明する。このハンガーは図１１に示すように正面から見ると数字の２のようなハンガーである。２の字の上部がフック部分となりフック３に連続する円曲部がアーム１１となり、円曲部の端部を逆方向に曲げて伸ばした２の字の下辺が袖通し部１２となる。そして図１２のように袖通し部１２は、アーム１１から二股に分かれた２本の平行な袖掛け１２ａ、１２ｂになっており、なだらかで肉厚な山形カーブをしている。肉厚な山形カーブとしたのはハンガー全体の形や重さのバランスをとるためと、掛けやすさを配慮したためである。
【００１７】
これら袖掛け１２ａ、１２ｂに丸首シャツを掛ける場合は、図１３のようにアーム１１にシャツの片袖５を首側から通し掛けし、次いで２本の袖掛け１２ａ、１２ｂの一方か、または双方に他方の片袖６を首側から通して掛ける。また別の掛け方として図１４のように２本の袖掛け１２ａ、１２ｂにそれぞれ片袖づつ掛けることもできる。すなわち一方の袖掛け１２ａに片袖５を通し、他方の袖掛け１２ｂに他方の片袖６を掛ける。これら二つの掛け方は、首穴をフックに通す必要がないので丸首を伸ばさずに生地を傷めることがなく掛けやすい。初めの方の掛け方は長袖のシャツでも袖が袖掛け１２ａ、１２ｂに掛かる部分が多いので袖下の風通しが良く袖下の乾きがよい。
【実施例５】
【００１８】
図１５は前記実施例１のハンガーを連続して繋げる方法を示したものである。すなわち実施例１のフック３とアーム部分１、２とを分離し、フック３の基端から４方に伸ばした紐１３をロッド１４、１５の両端に各繋ぎ、一方のロッド１４に一方のアーム部分１の先端を連続的に等間隔で結合させ、他方のロッド１５に他方のハンガー部分２の先端を同様に連続的に等間隔で結合させたものである。また同様のやり方でフックから伸ばした紐に２本のロッドの両端を繋ぎ、そのロッドに連続的に他の実施例のハンガー部分を連ねて吊り下げるようにすれば一層利便性が向上する。
【図面の簡単な説明】
【００１９】
【図１】実施例１のハンガー斜視図。
【図２】図１の平面図。
【図３】実施例１の使用状態図。
【図４】実施例１の首穴を寄せた状態図。
【図５】実施例１の相互に袖を寄せあった状態図。
【図６】実施例２のハンガー正面図。
【図７】実施例２の袖通し状態図。
【図８】実施例２の首穴を寄せた状態図。
【図９】実施例３のハンガー斜視図。
【図１０】実施例３の使用状態図。
【図１１】実施例４の正面図。
【図１２】図１０の斜視図。
【図１３】実施例４の使用状態図。
【図１４】実施例４の他の使用状態図。
【図１５】実施例５の連続的にハンガーを連ねた状態図。
【符号の説明】
【００２０】
１  第１アーム
２  第２アーム
３  フック
４  第１袖掛け部
５  第２袖掛け部
５ａ、６ａ  横長なリング
６、７  衣服の袖
８  中央支持片
９、１０  袖掛け部
１１  アーム
１２  袖通し部
１２ａ、１２ｂ  袖掛け  
１３  紐
１４、１５  ロッド
【図１】
2006175101.tif 000003
【図２】
2006175101.tif 000004
【図３】
2006175101.tif 000005
【図４】
2006175101.tif 000006
【図５】
2006175101.tif 000007
【図６】
2006175101.tif 000008
【図７】
2006175101.tif 000009
【図８】
2006175101.tif 000010
【図９】
2006175101.tif 000011
【図１０】
2006175101.tif 000012
【図１１】
2006175101.tif 000013
【図１２】
2006175101.tif 000014
【図１３】
2006175101.tif 000015
【図１４】
2006175101.tif 000016
【図１５】
2006175101.tif 000017
【手続補正書】
【提出日】平成17年2月28日(2005.2.28)
【手続補正１】
【補正対象書類名】明細書
【補正対象項目名】００１２
【補正方法】変更
【補正の内容】
【００１２】
この実施例１のハンガーに丸首シャツを掛ける場合は、図３のＡ図のように第１袖掛け部４にシャツの一方の片袖６を通し、次いでＢ図のように他方の片袖７を第２袖掛け部５に通して掛ける。つまり丸首シャツを片袖づつ通すことが出来るため首穴をフックに通す必要がなく掛けやすい。そして首穴を従来のように伸ばしてくぐらす必要が無いのでシャツも痛まない。
【手続補正２】
【補正対象書類名】明細書
【補正対象項目名】００１５
【補正方法】変更
【補正の内容】
【００１５】
本発明の第３の実施形態を図９及び図１０に基づいて説明する。このものは実施例１に対し第１アーム１、第２アーム２が無くフック３に直に偏平なロッド状の袖掛け部４、５を取り付けたものである。この袖掛け部は平面で見て横長なＳ字形状になっており、詳述すればＳ字形状の袖掛け部が、フック３を取り付ける中央の偏平な支持片８と、該支持片８の一端を後方へ曲げて中央支持片８と平行となるようにした袖掛け部９と、また同様に中央の支持片８の他端を前方へ曲げて中央支持片８と平行になるようにした袖掛け部１０とからなる。そしてこのハンガーに丸首シャツを掛ける場合は、図１０のように前方の袖掛け部１０にシャツの一方の片袖６を通し、次いで他方の片袖７を後方の袖掛け部９に通して掛ける。
【手続補正３】
【補正対象書類名】明細書
【補正対象項目名】００１７
【補正方法】変更
【補正の内容】
【００１７】
これら袖掛け１２ａ、１２ｂに丸首シャツを掛ける場合は、図１３のようにアーム１１にシャツの片袖６を首側から通し掛けし、次いで２本の袖掛け１２ａ、１２ｂの一方か、または双方に他方の片袖７を首側から通して掛ける。また別の掛け方として図１４のように２本の袖掛け１２ａ、１２ｂにそれぞれ片袖づつ掛けることもできる。すなわち一方の袖掛け１２ａに片袖６を通し、他方の袖掛け１２ｂに他方の片袖７を掛ける。これら二つの掛け方は、首穴をフックに通す必要がないので丸首を伸ばさずに生地を傷めることがなく掛けやすい。また図１４の掛け方は長袖のシャツでも袖が袖掛け１２ａ、１２ｂに掛かる部分が多いので袖下の風通しが良く袖下の乾きがよい。
【手続補正４】
【補正対象書類名】明細書
【補正対象項目名】００１９
【補正方法】変更
【補正の内容】
【００１９】
【図１】実施例１のハンガー斜視図。
【図２】図１の平面図。
【図３】実施例１の使用状態図。
【図４】実施例１の首穴を寄せた状態図。
【図５】実施例１の相互に袖を寄せあった状態図。
【図６】実施例２のハンガー正面図。
【図７】実施例２の袖通し状態図。
【図８】実施例２の首穴を寄せた状態図。
【図９】実施例３のハンガー斜視図。
【図１０】実施例３の使用状態図。
【図１１】実施例４の正面図。
【図１２】図１１の斜視図。
【図１３】実施例４の使用状態図。
【図１４】実施例４の他の使用状態図。
【図１５】実施例５の連続的にハンガーを連ねた状態図。
【手続補正５】
【補正対象書類名】明細書
【補正対象項目名】００２０
【補正方法】変更
【補正の内容】
【００２０】
１  第１アーム
２  第２アーム
３  フック
４  第１袖掛け部
５  第２袖掛け部
４ａ、５ａ  横長なリング
６、７  衣服の袖
８  中央支持片
９、１０  袖掛け部
１１  アーム
１２  袖通し部
１２ａ、１２ｂ  袖掛け  
１３  紐
１４、１５  ロッド
【手続補正６】
【補正対象書類名】図面
【補正対象項目名】図１５
【補正方法】変更
【補正の内容】
【図１５】
2006175101.tif 000018